(57)【要約】【課題】  従来、手作業による食器洗浄は、湯水、洗剤による手肌の荒れを避けるため、ゴム手袋を着用したり、洗浄液容器を手にとって、液を滴下したり、手間がかかるので誰もが消極的になる。特に冬場には冷水を嫌う結果、必要以上に湯を使用してエネルギーの浪費を招いている。また、洗浄液容器他、複数の洗浄具を用意する必要があり、置き場となる流し周辺は各種用具で所狭しの状態である。  【解決手段】  柄部に洗浄液の貯液部分をもち、洗浄液射出機構を一体に内蔵して構成することにより、洗浄液を滴下する手間を省く。加えて、頭部にはワンタッチ面テープと嵌め込み式の交換ヘッドで各種の洗浄体を、柄部の下部にはワンタッチ面テープで凹部用洗浄体を着脱、取替え自由に取り付けることにより上記の課題を解決し、一具で多用途のコンパクトで使いやすい食器洗浄具を提供する。【選択図】  図１
2008154923.tif 000002
【特許請求の範囲】
【請求項１】
本体は、発泡体よりなる洗浄体を取り付ける頭部と、洗浄液の貯液部分をもち、洗浄液
射出機構を一体に内蔵して構成される柄部とからなり、頭部は円形に形成され、中央部に
固定されるノズルを備え、柄部に内蔵される洗浄液射出機構により圧送される洗浄液はパ
イプを通過しノズルから射出され、頭部の面に取り付けられた発泡体よりなる円形の洗浄
体の中央部に形成された小円形の空間を経由して、被洗浄体に瞬時に供給されるように構
成された食器洗浄具。
【請求項２】
上記の円形の頭部の面には、発泡体よりなる円形の洗浄体がワンタッチ面テープで着脱、
取替え自由に取り付けられ、頭部の円周部は、用途によって豚毛ブラシ、タワシのように硬いナイロンブラシ等付属する他の洗浄体もワンタッチ嵌め込み式の交換ヘッドで取付け可能に形成された請求項１の食器洗浄具。
【請求項３】
柄部の下部は、柄の役だけでなく、グラス、コップのように凹部を有する被洗浄体の洗
浄も可能にするため、円柱形に形成し、発泡体よりなる洗浄体の着脱、取替えを容易にするために、必要且つ十分な幅の短冊形の２枚のワンタッチ面テープ雄面を、約１ｍｍの間隔をとって底面に対して垂直に貼り付け、その間隔が、ワンタッチ面テープ雌面が裏面に貼り付けられている発泡体よりなる洗浄体を巻き付ける時のガイドラインになるように形成された請求項１及び２の食器洗浄具。
【発明の詳細な説明】
【技術分野】
【０００１】
本発明は、柄部に洗浄液の貯液部分をもち、洗浄液射出機構を一体に内蔵した食器洗浄
具に関するものである。
【背景技術】
【０００２】
従来、食器を洗浄する場合、流し周辺に置かれている洗浄液容器を手に取り、洗浄液を
洗浄体もしくは被洗浄体に滴下するという手間をかけている。また湯水、洗剤による手肌
の荒れを防ぐために、ゴム手袋を着用するという手間をかけるか、柄の先端に発泡体やブ
ラシ等からなる洗浄体を取付けた洗浄具を使って作業をしている。
【０００３】
しかしながら、上記の洗浄具は、洗浄体が固定して取付けられているため、衛生上必要
な水切りが十分できなかった。ブラシのように水切り性の良いものである場合にはそれほど問題ないが、発泡体のように水切り性があまり良くないものの場合には非衛生的であるという問題があった。
【０００４】
この問題を解決しようとして洗浄体を着脱自由に工夫したものはある。（例えば、特許文
献１及び２参照。）
【０００５】
また上述の洗浄液滴下の手間を省くために、洗浄液容器と洗浄具を一体に工夫したもの
はある。(例えば，特許文献２及び３参照。)
【０００６】
特許文献１は、スポンジ体を下方のアーム部材のヘッドに巻き付けて、固定されている
複数対のピンに係止させ、上方のアーム部材で押さえる構成であるが、スポンジ体を装着するために、(１)アーム部材を開き、(２)スポンジ体をヘッドに巻き付け、(３)ピンに係止させ、(４)上方のアーム部材で押さえる、という４つの動作を終えて、洗浄液容器を手にとって液を滴下するという手間が必要である。
【０００７】
特許文献２は、洗浄体を着脱自由にするだけでなく、洗浄液容器を一体に工夫して洗浄
液を滴下する手間を省こうとしたものであるが、Ｕ字形の洗浄体取付部の内側に爪部を備え、洗浄体を挟持する構成は、洗浄体の脱着に手間がかかるという難点がある。加えて、突設された弾性変形可能な釦部を押し下げることにより内圧を上昇させ、洗浄液を洗浄体に漏出させるという方法では内圧は容易に高まらず、洗浄液を被洗浄体に供給するまでにかなり手間がかかるという問題がある。
【０００８】
特許文献３は弾性材料で形成された把持部を強く握ることにより内部が加圧されて、洗
浄液がスポンジタワシ部にしみ出るように工夫されている。人の握力は強く、この方法なら容易に内圧を高めることができるが,洗浄液がスポンジタワシの背後からしみ込む方式なので、被洗浄体に供給されるまでに時間がかかる点と、そのためつい把持部を握りすぎて洗浄液を必要以上に使ってしまう、という点に問題がある。
【０００９】
【特許文献１】特開２０００−４１９３４号  公報
【特許文献２】実用新案登録第３０７０５７１号  公報
【特許文献３】実開平７−３０９６４号  公報
【発明の開示】
【発明が解決しようとする課題】
【００１０】
従来の方法では、流し周辺という限られたスペースに、洗浄液容器と洗浄具の両方を置
く場所を確保する必要がある。
【００１１】
特に洗浄具については、被洗浄体が皿のように平板な物だけでなく、グラス、コップの
ように凹部を有する物等もあるので複数の洗浄具を用意する必要があり,置き場となる流し周辺は各種用具で所狭しの状態である。
【００１２】
また、食器を洗浄するたびに、洗浄液容器を手に取り、洗浄液を洗浄体もしくは被洗浄
体に滴下するという手間が必要である。
【００１３】
加えて、現在、食器を洗浄するための柄付の適切な用具があまり無く、多くの場合、発
泡体よりなる洗浄体を直接手に握って作業をするので、洗剤、湯水で手肌が荒れるという問題がある。
【００１４】
柄を使わない上記の手作業では、特に冬場に、冷水が手に当たるのを嫌う結果、必要以
上の湯を使い勝ちで、エネルギーの浪費を招いている。
【課題を解決するための手段】
【００１５】
本発明は、上述の課題を解決するために、本体は、発泡体よりなる洗浄体を取り付ける
頭部と、洗浄液の貯液部分をもち、洗浄液射出機構を一体に内蔵して構成される柄部とからなり、頭部は円形に形成され、中央部に固定されるノズルを備え、柄部に内蔵される洗浄液射出機構により圧送される洗浄液はパイプを通過しノズルから射出され、頭部の面に取り付けられた発泡体よりなる円形の洗浄体の中央部に形成された小円形の空間を経由して、被洗浄体に瞬時に供給されるように構成することを特徴とする。
【００１６】
上記の円形の頭部の面には、発泡体よりなる円形の洗浄体がワンタッチ面テープで着脱、取替え自由に取り付けられ、頭部の円周部は、用途によって豚毛ブラシ、タワシのように硬いナイロンブラシ等付属する他の洗浄体もワンタッチ嵌込式の交換ヘッドで取付け可能に形成することを特徴とする。
【００１７】
柄部の下部は、柄の役だけでなく、グラス,コップのように凹部を有する被洗浄体の洗浄
も可能にするため、円柱形に形成し、発泡体よりなる洗浄体の着脱、取替えを容易にするために、必要且つ十分な幅の短冊形の２枚のワンタッチ面テープ雄面を、約１ｍｍの間隔をとって底面に対して垂直に貼り付け、その間隔が、ワンタッチ面テープ雌面が裏面に貼り付けられている発泡体よりなる洗浄体を巻き付けるときのガイドラインになるように形成することを特徴とする。
【００１８】
。
上記の円形の頭部の面及び柄部の下部に取り付けられる発泡体よりなる洗浄体は、取り
付け方法としてワンタッチ面テープを使用することで容易に着脱、水切りができることで衛生面上の上述の課題を解決することを特徴とする。
【発明の効果】
【００１９】
本発明は、柄部に洗浄液の貯液部分をもち、洗浄液射出機構を一体に内蔵して構成す
ることにより、洗浄液容器を置く場所を不要とするだけでなく、食器を洗浄するたびに、容器を手に取り、洗浄液を滴下するという手間を省く。            
【００２０】
また柄が、洗剤、湯水による手肌の荒れを防ぐ上、特に冬場に、洗浄作業者が冷水を嫌
うために起こりがちな必要以上の湯の使用によるエネルギーの浪費を抑制し、ＣＯ２排出の減少にも貢献する。
【００２１】
円形の頭部の面に取り付けられる発泡体よりなる円形の洗浄体は中央に小円形の空間を
設けることで、洗浄液射出機構による洗浄液の被洗浄体への瞬時の供給を可能にし、前述の特許文献２及び３の洗浄液漏出方式の洗浄液の供給に時間がかかるという問題点を解消している。
【００２２】
また上記の発泡体よりなる円形の洗浄体はワンタッチ面テープで簡単に着脱、取替えで
きるので、使用後、洗浄体の水洗い、水切りが十分にでき、洗浄体を清潔に保つことがで
きる。また磨耗した場合、取替えも簡単で前述の特許文献１の着脱に手間がかかるという
問題点を解消している。
【００２３】
加えて、上記の円形の洗浄体は、食器類の多くが円形であるために形が合い、「の」の字
に回すという軽快な動作で効率の良い洗浄作業を可能にする。
【００２４】
柄部の内部の洗浄液射出機構により、指でハンドルを引くという簡単操作で必要な時に、
必要な量だけ圧送される洗浄液は、パイプを通過し、円形の頭部の中央部に固定されるノ
ズルから射出され、頭部の面に取り付けられた発泡体よりなる円形の洗浄体の中央部に形
成された小円形の空間を経由して、被洗浄体に容易に且つ迅速に供給されるので前述の特
許文献２および３の問題点を解消している。
【００２５】
頭部の円周部には、用途によって豚毛ブラシ、タワシのように硬いナイロンブラシ等付
属する他の洗浄体もワンタッチ嵌込式の交換ヘッドで取付けることができるので、流し周辺の限られたスペースが、洗浄液容器他、各種洗浄具で所狭しとなる状態を軽減する。
【００２６】
柄部の下部には発泡体よりなる洗浄体が巻き付けられ、グラス、コップのように凹部を
有する被洗浄体の洗浄もできるので、柄をわずかに持ち直すだけで平板な物も凹部を有する物も両者の洗浄が可能であるため、凹部専用の他の用具を用意する必要はほとんどなく、他の用具を置く場所と持ち替える手間を省いている。
【発明を実施するための最良の形態】
【００２７】
以下、本発明の実施の形態を図１~図１４により説明する。図１~図７は第１実施例を、
図８~図１４はその他の実施例を示す。
【００２８】
図１に示されるこの洗浄具１Ｓは,頭部２に発泡体よりなる円形の洗浄体４をワンタッ
チ面テープ雄面１４、雌面１５で取り付け、柄部３の下部にも凹部を有する被洗浄体用に
発泡体よりなる洗浄体４ａをワンタッチ面テープ雄面１４ａ、雌面１５ａで巻き付けたと
ころを示している。
【００２９】
上記洗浄具１Ｓの本体１は、頭部２と柄部３とからなり、柄部３は、貯液部分をもち、柄の機能に耐え、内部の洗浄液量が外観できる半透明プラスチック等適宜素材の抽出成型
により、対を成す２個の外殻を接合して形成し、洗浄液射出機構を一体に内蔵して構成される。
【００３０】
図１~図３に示される柄部３は、図のようにハンドル１２をほぼ中央に設け、(１)ハンドル操作がしやすく、(２)柄として使いやすく、(３)凹部を有する被洗浄体の底部の洗浄が十分できる長さとして、ハンドルの下部は１０ｃｍ程度とし、ハンドルの上部も１０ｃｍ程度として形成する。
【００３１】
図１〜図４に示される頭部２は、弾性のプラスチック等適宜素材の抽出成型により円形
に形成され、中央部にはノズル５が挿入される円錐形の空間を、また周辺部には付属の交換ヘッドがワンタッチで嵌め込み可能にフック６を３箇所形成する。また円形の頭部には円形の洗浄体に貼り付けられるワンタッチ面テープ雌面１５と対になる雄面１４を小円形の空間５ａを除き全面に貼り付ける。
【００３２】
上記の頭部２のサイズは、ジョッキ等のようなやや大きいサイズの凹部を有する被洗浄
体の洗浄を可能にするため直径３．５ｃｍ程度にとどめる。
【００３３】
図１〜図４に示される柄部３の下部９は、柄の役だけでなく、グラス、コップのような
凹部を有する被洗浄体の洗浄を可能にするため円柱形に形成する。また発泡体よりなる洗浄体の着脱、取替えを容易にするために、図２が示すように、必要且つ十分な幅(５ｍｍ程度)の短冊形の２枚のワンタッチ面テープ雄面１４ａを、約１ｍｍの間隔をとって底面に対して垂直に貼り付け、その間隔が洗浄体を巻き付ける時のガイドラインになるように形成する。
【００３４】
図１に示される洗浄液射出機構の一部をなすポンプ１０は、柄部の外殻と一体に内方に
抽出成型されるプラスチック等適宜素材を支えにして嵌め込み、且つ本体外殻と接するポ
ンプの外殻部分１１と１１ａは接着剤により固定する。
【００３５】
図１において、ノズル５は洗浄液の跳ね返りを防ぐため四角錐形に形成する。
【００３６】
ハンドル１２を指で引くとピストン１３が作動し、洗浄液がビニールパイプ８ａと８
を経由して、ノズル５に圧送され、被洗浄体の面に向かって、図のように射出される。
【００３７】
洗浄液注入口１６の蓋３３は液漏れが起らないようにパッキングを備えたねじ式か嵌め込み式に構成する。
【００３８】
頭部２に取り付けられる中央部に小円形の空間５ａを有する発泡体よりなる洗浄体４の
裏面にはワンタッチ面テープ雌面１５を、小円形の空間５ａを除いて全面に貼り付ける。
Ｌサイズ(直径６ｃｍ程度)とＭサイズ(直径４．５ｃｍ〜５ｃｍ程度)を用意し、用途に応じ
取り替え可能にする。
【００３９】
４ａは柄部の下部に巻き付ける発泡体よりなる洗浄体で、グラス、コップ等の底部を擦
り易く、また使用後に指で剥ぎ取り易くするため、本体より約１ｃｍ  長く形成する。柄としても使い易くするため、厚さは５~６ｍｍにとどめ、裏面にはワンタッチ面テープ雌面１５ａを全面に貼り付ける。
【００４０】
図５〜図７は付属の交換ヘッドの実施例を示す。ブラシ等の洗浄物２０が埋め込まれ形
成される中央部に小円形の空間５ａを有する交換ヘッド１９は、弾性のプラスチック等の適宜素材の抽出成型により、ワンタッチで嵌め込み可能に、頭部のフック６と対を成すフック６ａを円周部に３箇所形成する。
【００４１】
図８は第２実施例を示すもので、柄部の下部９を柄の機能に耐えるカートリッジ式の洗浄液容器とし、表面には第１実施例と同様にワンタッチ面テープ雄面１４ａを貼り付け、凹部を有する被洗浄体の洗浄を可能に形成する。連結部は液漏れが起らないようにパッキング２２を備えた、ネジ式か嵌め込み式で着脱可能に構成する。
【００４２】
この実施例においては、カートリッジには、濃度の高い溶液を充填し、その濃度は、カ
ートリッジを装着後、注入口１６から水を注入し、ほぼ満水の状態で適度の濃度になるようにする。
【００４３】
なお、この実施例では、カートリッジが空になった場合の洗浄液の補給方法として(１)
新しいカートリッジと交換する。(２)交換しないで注入口１６から補充用液を補填する。(３)注入口１６を使わずカートリッジをはずして補充用液を補填する。の３方法から選択できる。
【００４４】
図９は第３実施例を示す。これは上記のカートリッジ式を一歩進めたもので、ポンプ
部が磨耗或いは故障したときに、パーツ交換ができるように、ポンプ部と柄部の上部との間をも、液漏れが起らないようにパッキング２２ａを備えたネジ式か嵌め込み式で着脱、取替え自由に構成する。
【００４５】
図１０は第４実施例を示すもので、図のようにポンプ部をエアーポンプ式で構成するこ
とも可能である。
【００４６】
これは図のように、空気吸入孔２３と空気排出孔２４と弁２５ａを設けたポンプと、弁
２５を備えたパイプ８とで構成する。
【００４７】
図１１は第５実施例を示すもので、図のようにポンプ部を電動駆動式で構成することも
可能である。
【００４８】
これは図のように、モーター２６ｍと電池２７ｄと羽根車２８ｋとボタンスイッチ２９
ｓとで構成されるもので、高齢等で指の力の弱い人にとって使いやすいという長所を持つ。
【００４９】
図１２は第６実施例を示すもので、図のようにポンプ部を金属ばねの代りにスプリング
ゴム３０ を使用して構成することも可能である。
【００５０】
図１４は第７実施例を示す。この実施例における柄部の下部３１の形体は一例であるが,
上述のすべての実施例において、柄部の下部を凹部用洗浄体の取り付け部としては使用しないで、柄としてのみに使用することにより、柄としてもっと把持し易く、洗浄液の貯液量をもっと増やすことのできる図のような楕円柱形等の形体にすることも可能である。
【００５１】
上述のすべての実施例において、頭部に付属の交換ヘッドを取り付けることは考えないで、頭部の直径を５ｃｍ~６ｃｍ程度に形成し、LLサイズ(直径７ｃｍ~８ｃｍ程度)の洗浄体の取り付けができるように構成することも可能である。
【図面の簡単な説明】
【００５２】
【図１】洗浄具の第１実施例を示す縦断側面図である。
【図２】図１の洗浄具本体の側面図である。
【図３】同上の正面図である。
【図４】同上の背面図である。
【図５】交換ヘッドの正面図である。
【図６】同上の背面図である。
【図７】同上の縦断面図である。
【図８】洗浄具の第２実施例を示す部分破断側面図である。
【図９】第３実施例を示す部分破断側面図である。
【図１０】第４実施例を示す縦断側面図である。
【図１１】第５実施例を示す縦断側面図である。
【図１２】第６実施例を示す部分破断側面図である。
【図１３】図１４におけるＮ―Ｎ線での断面図である。
【図１４】第７実施例を示す洗浄具本体の背面図である。
【符号の説明】
【００５３】
１Ｓ       洗浄具                              
１         本体                                
２         頭部                            
３         柄部                                  
４，４ａ    発泡体よりなる洗浄体              
５         ノズル                            
５ａ        小円形の空間  
６，６ａ     フック                          
７，７ａ     丸ビス型弁
７ｆ         丸ビス型弁用ばね                          
８，８ａ    ビニールパイプ                    
９          柄部の下部
１０         ポンプ
１１，１１ａ ポンプの外殻                          
１２         ハンドル                            
１２ｆ      縮みばね
１３         ピストン                            
１４，１４ａ ワンタッチ面テープ雄面
１５，１５ａ ワンタッチ面テープ雌面
１６         注入口  
１７         ビニールパイプ取付部
１８         柄の挿入部
１９         交換ヘッド
２０         ブラシ等の洗浄物
２１,２１ａ,  ２１ｂ,２１ｃ   ねじ
２２,２２ａ   パッキング
２３         空気吸入孔
２４         空気排出孔
２５、２５ａ  弁
２６ｍ       モーター
２７ｄ        電池
２８ｋ        羽根車
２９ｓ        ボタン式スイッチ
３０         スプリングゴム
３１         楕円柱形の柄部の下部
３２         ポンプ後方の突起部
３３         蓋
【図１】
2008154923.tif 000003
【図２】
2008154923.tif 000004
【図３】
2008154923.tif 000005
【図４】
2008154923.tif 000006
【図５】
2008154923.tif 000007
【図６】
2008154923.tif 000008
【図７】
2008154923.tif 000009
【図８】
2008154923.tif 000010
【図９】
2008154923.tif 000011
【図１０】
2008154923.tif 000012
【図１１】
2008154923.tif 000013
【図１２】
2008154923.tif 000014
【図１３】
2008154923.tif 000015
【図１４】
2008154923.tif 000016